(57)【要約】【課題】簡単な構成で、放射線カセッテによる撮影処理を効率的に行うことを可能にする。【解決手段】放射線カセッテ８２を装着するホルダ７０は、撮影部２２の放射線照射面２２ａを覆う鉛板７６を備え、この鉛板７６が貼り付けられる樹脂板７４は、ピン７２ａ、７２ｂを介して装置本体１４に取り付けられる。樹脂板７４には、放射線カセッテ８２を保持するための固定部８４が設けられるとともに、この固定部８４は、前記放射線カセッテ８２の寸法に応じて位置調整可能な可動支持部材８６と固定支持部材８８とを備える。【選択図】図１
2004109835.tif 000002
【特許請求の範囲】
【請求項１】
内部に収容した放射線画像記録担体に放射線を照射し、被写体の放射線画像情報を前記放射線画像記録担体に記録する放射線カセッテを、放射線画像情報記録装置に保持させるための放射線カセッテ用ホルダであって、
前記放射線カセッテを固定する固定部と、
前記放射線画像情報記録装置の放射線照射面を覆うことにより該放射線画像情報記録装置内に放射線が照射されることを阻止する遮蔽部と、
を備えることを特徴とする放射線カセッテ用ホルダ。
【請求項２】
請求項１記載の放射線カセッテ用ホルダにおいて、前記固定部は、寸法の異なる放射線カセッテに対応して位置選択可能であることを特徴とする放射線カセッテ用ホルダ。
【請求項３】
請求項１または２記載の放射線カセッテ用ホルダにおいて、前記固定部は、前記放射線画像情報記録装置に装着された状態で、前記放射線照射面に対向する第１の位置と、該第１の位置に対して所定の角度だけ傾斜する第２の位置とに保持可能であることを特徴とする放射線カセッテ用ホルダ。
【請求項４】
放射線画像記録担体が収容された放射線カセッテを撮影位置に保持し、前記放射線カセッテを通して前記放射線画像記録担体に被写体の放射線画像情報を記録可能な放射線画像情報記録装置であって、
前記放射線カセッテが撮影可能な状態にあることを検出するセンサと、
前記センサからの検出信号に基づいて、前記放射線カセッテが撮影可能な状態にあることを表示する表示部と、
を備えることを特徴とする放射線画像情報記録装置。
【発明の詳細な説明】
【０００１】
【発明の属する技術分野】
本発明は、放射線画像記録担体を収容する放射線カセッテを、放射線画像情報記録装置に保持させるための放射線カセッテ用ホルダ、および放射線画像情報記録装置に関する。
【０００２】
【従来の技術】
従来から、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）を利用して、人体等の被写体の放射線画像情報を写真感光材料等に再生させる、あるいはＣＲＴ等に可視像として出力させるシステムが知られている。
【０００３】
上記のシステムでは、具体的には、人体等の被写体の放射線画像情報をシート状の蓄積性蛍光体層を備えた蓄積性蛍光体シートに一旦記録（撮影）する撮影部と、この蓄積性蛍光体シートにレーザ光等の励起光を照射することにより輝尽発光光を発生させ、この輝尽発光光を光電的に読み取る読み取り部と、読み取り後に前記蓄積性蛍光体シートに残存する放射線画像情報を消去する消去部とを組み込むとともに、該蓄積性蛍光体シートを装置内に収容した、所謂、ビルトイン方式の放射線画像情報記録読取装置（放射線画像情報記録装置）が採用されている。
【０００４】
ところで、例えば、患者の骨部等を撮影する際には、蓄積性蛍光体シートと被写体とを可及的に近接させる必要がある。また、撮影条件等によっては、グリッドを用いずに被写体の放射線画像情報を撮影したいという要請がある。このため、上記の放射線画像情報記録読取装置では、カセッテ撮影モードが設けられている。このカセッテ撮影モードでは、放射線画像情報記録読取装置の撮影位置にカセッテを配置した状態で、このカセッテ内の蓄積性蛍光体シートに放射線画像情報の撮影処理が施されている。
【０００５】
その際、カセッテを使用して放射線画像情報の撮影処理を行う場合に、放射線画像情報記録読取装置内の撮影部に放射線が直接照射されたり、散乱線が照射されたりするおそれがある。これによって、撮影部に配置されている蓄積性蛍光体シートに放射線の露光によるかぶりが発生するという問題が指摘されている。
【０００６】
そこで、例えば、特許文献１に開示されているように、画像記録部において蓄積性蛍光体シートを、放射線が照射される通常位置と放射線の照射野から外れた退避位置との間で移動させるシート移動手段を備えた放射線画像情報記録読取装置が知られている。
【０００７】
また、特許文献２に開示されているように、画像記録部の蓄積性蛍光体シートの上方に設けられ、前記蓄積性蛍光体シートを覆う大きさを有し、放射線の照射野内にあって前記蓄積性蛍光体シートへの放射線の照射を防止する遮蔽位置と、放射線の照射を許す退避位置との間で移動可能なシャッタを備えた放射線画像情報記録読取装置が知られている。
【０００８】
【特許文献１】
特開昭６０−２５６１３４号公報（図１）
【特許文献２】
特開昭６１−３９０３８号公報（図１）
【０００９】
【発明が解決しようとする課題】
この場合、上記の特許文献１および２は、装置内に設けられた循環通路に沿って蓄積性蛍光体シートを循環搬送する構造に関するものである。従って、例えば、装置内の撮影部に蓄積性蛍光体シートを固定して放射線画像情報の記録処理および読み取り処理を行う構造には採用することができないという問題がある。
【００１０】
本発明はこの種の問題を解決するものであり、簡単かつコンパクトな構成で、撮影部に配置された蓄積性蛍光体シートに不要に放射線が照射されることがなく、放射線カセッテによる撮影処理を効率的に行うことが可能な放射線カセッテ用ホルダを提供することを目的とする。
【００１１】
また、本発明は、放射線カセッテによる撮影が開始されることを操作者に確実に知らせることができ、撮影処理の効率化および簡素化を図ることが可能な放射線画像情報記録装置を提供することを目的とする。
【００１２】
【課題を解決するための手段】
本発明に係る放射線カセッテ用ホルダでは、放射線カセッテを固定する固定部と、放射線画像情報記録装置の放射線照射面を覆うことにより前記放射線画像情報記録装置内に放射線が照射されることを阻止する遮蔽部とを備えている。このため、放射線カセッテ用ホルダを放射線画像情報記録装置に装着するだけで、放射線画像情報記録装置内に放射線が照射されることがなく、撮影部に配置されている蓄積性蛍光体シートに放射線の露光によるかぶりが発生することを確実に阻止することができる。しかも、放射線画像情報記録装置内では、蓄積性蛍光体シートを撮影部に固定することが可能になり、前記放射線画像情報記録装置全体を有効に小型化することができる。
【００１３】
また、固定部は、寸法の異なる放射線カセッテに対応して位置選択可能である。従って、単一の放射線カセッテ用ホルダを使用して種々の寸法の異なる放射線カセッテを保持することができ、汎用性に優れるとともに、経済的である。
【００１４】
さらに、固定部は、放射線画像情報記録装置に装着された状態で、放射線照射面に対向する第１の位置と、該第１の位置に対して所定の角度だけ傾斜する第２の位置とに保持可能である。これにより、放射線カセッテは、例えば、立位撮影と水平撮影とを選択的に行うことができ、種々の撮影条件の変更にも容易に対応することが可能になる。
【００１５】
さらにまた、本発明に係る放射線画像情報記録装置では、放射線カセッテが撮影可能な状態にあることを検出するセンサと、前記センサからの検出信号に基づいて、前記放射線カセッテが撮影可能な状態にあることを表示する表示部とを備えている。このため、操作者は、放射線カセッテが撮影可能な状態であることを確実に知ることができ、撮影処理の効率化および簡素化を図ることが可能になる。しかも、撮影室内に複数の放射線画像情報記録装置が配置されている際、使用される放射線画像情報記録装置を誤認することがなく、所望の撮影処置が円滑に遂行される。
【００１６】
【発明の実施の形態】
図１は、本発明の第１の実施形態に係る放射線画像情報記録読取装置（放射線画像情報記録装置）１０の斜視説明図であり、図２は、前記放射線画像情報記録読取装置１０の概略構成図である。
【００１７】
放射線画像情報記録読取装置１０は、鉛直方向（矢印Ａ方向）に延在する昇降部１２を備え、この昇降部１２には、装置本体１４がボールねじやシリンダ等の図示しないアクチュエータを介して昇降自在に支持されている。
【００１８】
図２に示すように、装置本体１４は、人体等の被写体Ｈの放射線画像情報を蓄積性蛍光体シートＩＰに一旦記録する撮影部２２と、前記蓄積性蛍光体シートＩＰに対して主方向（矢印Ｘ方向）にレーザ光等の励起光Ｌを照射し、放射線Ｓの強度に応じて発光する輝尽発光光Ｒを光電的に読み取る読み取り部２４と、前記読み取り部２４を前記主方向に略直交する副方向（矢印Ｙ方向）に搬送する副走査系２６と、前記蓄積性蛍光体シートＩＰに残存している放射線エネルギを放出させる消去光源部２８とを備える。
【００１９】
撮影部２２は、放射線Ｓを発生させる放射線源３０と、被写体Ｈを所定位置に保持する放射線透過性の撮影台３２とを備えている。撮影台３２の後方には、フォトタイマ３３と、散乱線除去用のグリッド３４とが配置されている。グリッド３４のさらに後方には、蓄積性蛍光体シートＩＰが所定の撮影位置に保持されている。
【００２０】
読み取り部２４は、励起系３６と、集光レンズアレイ３８を設けるＣＣＤラインセンサ（光電変換手段）４０とを備える。励起系３６、集光レンズアレイ３８およびＣＣＤラインセンサ４０は、主方向に延在してスキャナヘッド４２に装着されている。
【００２１】
励起系３６は、主方向（矢印Ｘ方向）に配列される複数個のレーザダイオード４４を備える。レーザダイオード４４は、励起光出射側が蓄積性蛍光体シートＩＰから離間する方向に向かって配置されるとともに、前記レーザダイオード４４から発せられる発散光状態の励起光が、シリンドリカルミラー４６で反射されて励起光Ｌとして蓄積性蛍光体シートＩＰに対し主方向に向かって線状に照射される。
【００２２】
副走査系２６は、矢印Ｙ方向一端側に配置される回転駆動源５０を備え、この回転駆動源５０から矢印Ｘ方向に延在する回転軸５２の両端には、駆動プーリ５４が固定される。各駆動プーリ５４から矢印Ｙ方向に所定間隔離間して従動プーリ５６が配置され、前記従動プーリ５６と前記駆動プーリ５４とにベルト５８が架け渡される。ベルト５８には、スキャナヘッド４２が固定されるとともに、このスキャナヘッド４２は、矢印Ｙ方向に延在する一対のガイドレール６０に支持されている。
【００２３】
消去光源部２８は、蓄積性蛍光体シートＩＰに対して読み取り部２４を挟んで対向して配置される。消去光源部２８は、蓄積性蛍光体シートＩＰに消去光Ｑを照射して該蓄積性蛍光体シートＩＰに残存している放射線エネルギを放出させる。消去光源部２８は、蓄積性蛍光体シートＩＰの幅方向（矢印Ｘ方向）以上の長さを有する蛍光灯６８を該蓄積性蛍光体シートＩＰの長さ方向（矢印Ｙ方向）に複数個配設し、前記蓄積性蛍光体シートＩＰの全画像領域に消去光Ｑが照射されるように構成されている。
【００２４】
図１に示すように、装置本体１４の上部には、第１の実施形態に係る放射線カセッテ用ホルダ７０を取り付けるためのピン７２ａ、７２ｂが設けられる。ホルダ７０は、樹脂板７４と、この樹脂板７４の裏面側に撮影部２２の放射線照射面２２ａを覆うように貼り付けられる鉛板（遮蔽部）７６とを備える。樹脂板７４の上部には、略９０°だけ屈曲する支持部７８ａ、７８ｂが設けられるとともに、前記支持部７８ａ、７８ｂに、ピン７２ａ、７２ｂを挿入するための孔部８０ａ、８０ｂが形成される。
【００２５】
樹脂板７４には、放射線カセッテ８２を固定するための固定部８４が設けられる。図１および図３に示すように、固定部８４は、放射線カセッテ８２の寸法に応じて位置調整（位置選択）可能な可動支持部材８６と、固定支持部材８８とを備える。可動支持部材８６は屈曲する板材であり、水平方向に延在する載置面９０を設けるとともに、前記可動支持部材８６の両端縁部には、係止用孔部９２ａ、９２ｂが形成される。係止用孔部９２ａ、９２ｂは、下部側に大径孔部９３ａ、９３ｂが連通している。
【００２６】
樹脂板７４には、寸法の異なる各放射線カセッテ８２の高さ位置に対応して、第１位置決めピン９４ａ、第２位置決めピン９４ｂ、第３位置決めピン９４ｃおよび第４位置決めピン９４ｄが、それぞれ２本ずつ設けられる。第１〜第４位置決めピン９４ａ〜９４ｄは、可動支持部材８６の大径孔部９３ａ、９３ｂに選択的に挿入されて係止用孔部９２ａ、９２ｂに係止されることにより、前記可動支持部材８６を所望の高さ位置に保持する。
【００２７】
固定支持部材８８は、断面Ｌ字状に形成されており、樹脂板７４の上部一端縁部に固定される。この固定支持部材８８が放射線カセッテ８２の上部を保持する一方、可動支持部材８６が前記放射線カセッテ８２の下部を支持する。寸法の異なる種々の放射線カセッテ８２は、全ての上部位置が一定の高さ位置に設定される。この放射線カセッテ８２内には、蓄積性蛍光体シートＩＰａが収容されている。
【００２８】
図１および図３に示すように、装置本体１４の上部には、ホルダ７０が撮影部２２に装着されることにより放射線カセッテ８２が撮影可能な状態にあることを検出するセンサ９６が設けられる。このセンサ９６は、ホルダ７０の有無を検出するためのものであり、例えば、近接スイッチ、リミットスイッチまたは光センサ等が使用される。
【００２９】
昇降部１２の上部には、センサ９６がホルダ７０（放射線カセッテ８２）を検出したことを表示する表示灯（表示部）９８が設けられる（図１参照）。この表示灯９８は、ホルダ７０が装着された際に点灯して、操作者にカセッテ撮影が可能状態であることを知らせる機能を有する。なお、表示灯９８は、電源がＯＮされた際、蓄積性蛍光体シートＩＰが撮影可能な状態に至った際、あるいはエラーが発生した際等、それぞれ異なる色に点灯可能であることが好ましい。
【００３０】
このように構成される放射線画像情報記録読取装置１０の動作について、以下に説明する。
【００３１】
まず、図２に示すように、通常撮影モードによる放射線画像情報の記録を行うべく、患者の患部である被写体Ｈが撮影台３２に対応して配置される。この状態で放射線源３０が駆動されると、この放射線源３０から出力された放射線は、被写体Ｈを透過して蓄積性蛍光体シートＩＰに到達することにより、前記蓄積性蛍光体シートＩＰに放射線画像情報が記録される。
【００３２】
被写体Ｈの放射線画像情報が蓄積性蛍光体シートＩＰに記録された後、読み取り部２４を構成する励起系３６が駆動されるとともに、副走査系２６を構成する回転駆動源５０が駆動される。励起系３６では、蓄積性蛍光体シートＩＰの主方向（矢印Ｘ方向）に配列されている複数のレーザダイオード４４が駆動され、前記レーザダイオード４４から出力されてシリンドリカルミラー４６で反射された励起光Ｌが、蓄積性蛍光体シートＩＰに矢印Ｘ方向に沿って照射される。
【００３３】
一方、副走査系２６を構成する回転駆動源５０の駆動作用下に、回転軸５２を介して駆動プーリ５４が回転すると、この駆動プーリ５４と従動プーリ５６とに架け渡されているベルト５８の周回走行作用下に、前記ベルト５８に固着されているスキャナヘッド４２が矢印Ｙ方向に移動する。このため、放射線画像情報が蓄積された蓄積性蛍光体シートＩＰは、励起光Ｌによって２次元的に走査され、この蓄積性蛍光体シートＩＰが前記放射線画像情報に応じた輝尽発光光Ｒを発する。
【００３４】
この輝尽発光光Ｒは、集光レンズアレイ３８を介してＣＣＤラインセンサ４０に入射される。このＣＣＤラインセンサ４０に輝尽発光光Ｒが入射すると、この輝尽発光光Ｒが電気信号に変換されて蓄積性蛍光体シートＩＰの放射線画像情報が光電的に読み取られる。
【００３５】
次いで、放射線画像情報の読み取りが行われた蓄積性蛍光体シートＩＰに対して、消去光源部２８を構成する蛍光灯６８から消去光Ｑが照射される。従って、蓄積性蛍光体シートＩＰに残存する放射線エネルギの放出が行われ、この蓄積性蛍光体シートＩＰは次の撮影に供されることになる。
【００３６】
ところで、放射線画像情報記録読取装置１０を用いて放射線カセッテ８２に収容されている蓄積性蛍光体シートＩＰａに撮影処理を施す際（カセッテ撮影モード）には、まず、この放射線カセッテ８２がホルダ７０に装着される。このホルダ７０では、固定部８４を構成する可動支持部材８６が放射線カセッテ８２の寸法に応じて設置高さが選択される。
【００３７】
例えば、放射線カセッテ８２が最大寸法の場合には、可動支持部材８６の係止用孔部９２ａ、９２ｂに位置決めピン９４ａ、９４ｂが係止され、前記可動支持部材８６がホルダ７０の最下端位置に取り付けられる。そこで、放射線カセッテ８２が可動支持部材８６の載置面９０上に載置されるとともに、この放射線カセッテ８２の上部が、固定支持部材８８に保持される（図１および図３参照）。
【００３８】
これにより、放射線カセッテ８２は、上部位置を一定の高さ位置に設定された状態でホルダ７０に装着されるとともに、このホルダ７０が装置本体１４に取り付けられる。ホルダ７０では、樹脂板７４の支持部７８ａ、７８ｂに形成された孔部８０ａ、８０ｂにピン７２ａ、７２ｂが挿入されて、前記ホルダ７０が装置本体１４に取り付けられる。
【００３９】
その際、ホルダ７０が装置本体１４に設けられているセンサ９６を駆動して、このホルダ７０が撮影部２２に装着されたことを検出する。このセンサ９６による検出信号に基づいて表示灯９８が駆動され、この表示灯９８が所定の色に点灯される。
【００４０】
従って、操作者は、放射線カセッテ８２による撮影が開始されることを確実に知ることができ、撮影処理の効率化および簡素化を図ることが可能になる。しかも、撮影室内に放射線画像情報記録読取装置１０の他、種々の撮影装置が配置されている際に、使用される放射線画像情報記録読取装置１０を誤認することがなく、所望の撮影処理が円滑に遂行されるという効果が得られる。
【００４１】
ホルダ７０を介して放射線カセッテ８２が装置本体１４に装着されると、放射線源３０が駆動される。この放射線源３０から出力された放射線は、患者の放射線画像情報を放射線カセッテ８２内に収容されている蓄積性蛍光体シートＩＰａに記録する。
【００４２】
この場合、ホルダ７０は、樹脂板７４の裏面側に鉛板７６を貼り付けられており、この鉛板７６が撮影部２２の放射線照射面２２ａを覆っている。このため、ホルダ７０を装置本体１４に取り付けるだけで、この装置本体１４内に放射線が照射されることを確実に阻止し、撮影部２２内に配置されている蓄積性蛍光体シートＩＰに放射線の露光によるかぶり等が発生することを確実に阻止することができる。
【００４３】
しかも、装置本体１４内では、蓄積性蛍光体シートＩＰが撮影部２２内に固定されており、放射線画像情報記録読取装置１０全体を有効に小型化することができる。
【００４４】
さらに、固定部８４を構成する可動支持部材８６は、寸法の異なる放射線カセッテ８２に対応して位置調整可能である。これにより、単一のホルダ７０を使用して種々の寸法の異なる放射線カセッテ８２を保持することができ、汎用性に優れるとともに、経済的であるという利点が得られる。
【００４５】
具体的には、第１〜第４位置決めピン９４ａ〜９４ｄのいずれかを選択して、可動支持部材８６の係止用孔部９２ａ、９２ｂに挿入するだけで、可動支持部材８６の高さ調整が行われる。このため、簡単な作業で、寸法の異なる種々の放射線カセッテ８２をホルダ７０に固定するとともに、各放射線カセッテ８２の上部位置を一定高さ位置に設定することが可能になり、放射線画像情報の撮影処理が効率的に遂行される。
【００４６】
図４は、本発明の第２の実施形態に係る放射線カセッテ用ホルダ１００が装置本体１４に取り付けられた状態の側面説明図である。
【００４７】
なお、第１の実施形態に係る放射線画像情報記録読取装置１０および放射線カセッテ用ホルダ７０と同一の構成要素には同一の参照符号を付して、その詳細な説明は省略する。また、以下に説明する第３および第４の実施形態においても同様に、その詳細な説明は省略する。
【００４８】
ホルダ１００では、樹脂板７４に固定部１０２が一体的に設けられる。この固定部１０２は、放射線カセッテ８２の寸法に応じて高さ位置（矢印Ａ方向の位置）がそれぞれ設定された下側支持部材１０４ａ、１０４ｂ、１０４ｃを備える。下側支持部材１０４ａ〜１０４ｃは、それぞれ水平方向（矢印Ｂ方向）への突出量が選択されて樹脂板７４に設けられる。下側支持部材１０４ａ〜１０４ｃには、水平方向に延在し各放射線カセッテ８２の端部を支持する載置面１０６ａ、１０６ｂおよび１０６ｃが設けられる。
【００４９】
ホルダ１００の上部側には、矢印Ｂ方向に突出して上側支持部材１０８が設けられる。この上側支持部材１０８は、鉛直下方向に屈曲して各放射線カセッテ８２の上部を支持する爪部１０９ａ、１０９ｂおよび１０９ｃを有する。
【００５０】
このように構成される第２の実施形態では、固定部１０２を構成する下側支持部材１０４ａ〜１０４ｃが、それぞれ寸法の異なる放射線カセッテ８２に対応して高さ位置が選択されている。このため、放射線カセッテ８２を前記下側支持部材１０４ａ〜１０４ｃの載置面１０６ａ〜１０６ｃに選択的に配置するだけで、前記放射線カセッテ８２の高さ位置が所定の高さに設定される。
【００５１】
従って、第２の実施形態では、特に寸法の異なる放射線カセッテ８２が頻繁に使用される際に、この放射線カセッテ８２の位置決め固定作業が一層簡素化され、効率的な放射線画像情報の撮影処理が遂行されるという効果が得られる。
【００５２】
図５は、本発明の第３の実施形態に係る放射線カセッテ用ホルダ１１０が装置本体１４に取り付けられた状態の斜視説明図である。
【００５３】
このホルダ１１０は、装置本体１４に取り付けられる支持板１１２と、この支持板１１２の下端部に立位姿勢（第１の位置）と、この立位姿勢に対して所定の角度、例えば、９０°だけ傾斜する水平姿勢（第２の位置）とに保持可能な揺動板１１４とを備える。
【００５４】
支持板１１２の裏面側には、撮影部２２を覆って鉛板７６が貼り付けられる一方、揺動板１１４は、蝶番１１６を介して支持板１１２に揺動自在に構成される。揺動板１１４は、立位姿勢で放射線カセッテ８２を支持するための固定部８４と、水平姿勢に配置される際に載置面となる平面部１１８とを設けている。
【００５５】
このように構成される第３の実施形態では、揺動板１１４が立位姿勢で配置される際には、第１の実施形態と同様に、この揺動板１１４に固定部８４を介して位置決め固定された放射線カセッテ８２に対し、被写体Ｈの放射線画像情報が照射される。そして、患者の腕Ｈｕ等を撮影する際には、揺動板１１４が水平姿勢に配置されて、この揺動板１１４の平面部１１８にカセッテ８２が載置される。このカセッテ８２上に腕Ｈｕ等が配置された状態で、上方から放射線源３０を介して放射線画像情報の撮影処理が行われる。
【００５６】
これにより、第３の実施形態では、患者の胸部撮影等の他、腕Ｈｕ等の撮影が行われる際、種々の撮影条件の変更にも容易に対応することができるという効果が得られる。なお、平面部１１８上にカセッテ８２を載置して撮影処理を行う際に、装置本体１４の撮影部２２には、鉛板７６が配置されている。従って、この撮影部２２内に放射線が照射されることがなく、第１および第２の実施形態と同様の効果が得られる。
【００５７】
図６は、本発明の第４の実施形態に係る放射線画像情報記録読取装置１２０の要部斜視図であり、図７は、前記放射線画像情報記録読取装置１２０の内部概略構成説明図である。
【００５８】
放射線画像情報記録読取装置１２０は、装置本体１２４と、被写体Ｈ、例えば、患者が、直接、臥位姿勢（横臥姿勢）で載置されるとともに、昇降可能な撮影台１２６と、コントローラ（制御部）１２８と、フットスイッチ部１３０とを備える。
【００５９】
図７に示すように、撮影台１２６には、蓄積性蛍光体シートＩＰに被写体Ｈの放射線画像情報を一旦記録する放射線記録部１３２が設けられる。装置本体１２４には、放射線画像情報が記憶された蓄積性蛍光体シートＩＰに励起光Ｌを照射して前記放射線画像情報を光電的に読み取る読み取り部１３４と、読み取り後の前記蓄積性蛍光体シートＩＰに残存する放射線画像情報を消去する消去光源部１３６と、放射線画像情報記録読取装置１２０内で、例えば、３枚の前記蓄積性蛍光体シートＩＰを循環させる循環搬送系１３８とが組み込まれる。
【００６０】
循環搬送系１３８は、複数のローラ対１４０を備えており、前記ローラ対１４０が３枚の蓄積性蛍光体シートＩＰの両端（耳部）側を挟持し、前記蓄積性蛍光体シートＩＰを放射線画像情報記録読取装置１２０内で循環させる。
【００６１】
読み取り部１３４は、蓄積性蛍光体シートＩＰを水平方向（矢印Ｂ方向）に副走査搬送する副走査系１４２と、副走査搬送されている前記蓄積性蛍光体シートＩＰに励起光Ｌを略鉛直方向に照射して主走査する励起系１４４と、この励起光Ｌの照射によって前記蓄積性蛍光体シートＩＰから生じる輝尽発光光Ｒを光電的に読み取る第１および第２集光系１４６、１４８とを備える。
【００６２】
副走査系１４２は、互いに同期して回転駆動される第１および第２ローラ対１５０、１５２を備える。第１集光系１４６は、蓄積性蛍光体シートＩＰの記録面上の励起光Ｌの照射位置に主走査線に沿って配置される第１光ガイド１５４ａと、この第１光ガイド１５４ａの上部に装着される第１フォトマルチプライヤ１５６ａとを備える。第２集光系１４８は、蓄積性蛍光体シートＩＰの裏面側に主走査線に沿って配置される第２光ガイド１５４ｂと、この第２光ガイド１５４ｂの端部に装着される第２フォトマルチプライヤ１５６ｂとを備える。
【００６３】
消去光源部１３６は、蓄積性蛍光体シートＩＰの記録面側に配置される第１消去ユニット１６０ａと、前記蓄積性蛍光体シートＩＰの裏面側に配置される第２消去ユニット１６０ｂとを備える。第１および第２消去ユニット１６０ａ、１６０ｂ内には、それぞれ消去用光源１６２ａ、１６２ｂが配置されている。
【００６４】
図６に示すように、コントローラ１２８は、制御部本体１７０と、前記制御部本体１７０の上部に設置される操作台１７２とを備えるとともに、前記操作台１７２には、操作パネル１７４が設けられる。
【００６５】
撮影台１２６には、挿入口１８０が形成されており、この挿入口１８０に鉛板１８２が着脱可能である。この鉛板１８２は、挿入口１８０から撮影台１２６の内部に挿入され、この撮影台１２６の放射線照射面１２６ａを覆って配置される。撮影台１２６内には、挿入口１８０から鉛板１８２が挿入されたことを検出するためのセンサ１８４（図７参照）が装着されるとともに、このセンサ１８４による検出信号に基づいて点灯される表示灯（表示部）１８６が、例えば、前記撮影台１２６の角部に対応して設けられる。
【００６６】
このように構成される放射線画像情報記録読取装置１２０の動作について、以下に概略的に説明する。
【００６７】
まず、患者が臥位姿勢（横臥姿勢）で横たわった状態で、Ｘ線照射手段（図示せず）が駆動される。このため、患者の放射線画像情報が放射線記録部１３２に配置されている蓄積性蛍光体シートＩＰに記録（撮影）される。
【００６８】
撮影処理後の蓄積性蛍光体シートＩＰは、図７に示すように、循環搬送系１３８を構成するローラ対１４０の回転作用下に、耳部が挟持されて放射線記録部１３２から取り出され、読み取り部１３４を構成する副走査系１４２に送られる。
【００６９】
副走査系１４２では、図示しないモータの駆動作用下に、第１および第２ローラ対１５０、１５２が同期して回転駆動され、蓄積性蛍光体シートＩＰは、この第１および第２ローラ対１５０、１５２に耳部を挟持されて矢印Ｂ方向に副走査搬送される。その際、励起系１４４から励起光Ｌが導出され、蓄積性蛍光体シートＩＰの記録面に照射されて主走査が行われる。
【００７０】
これにより、蓄積性蛍光体シートＩＰの記録面側から発せられる輝尽発光光Ｒが第１集光系１４６により光電的に読み取られるとともに、透明なベース面を透過して前記蓄積性蛍光体シートＩＰの裏面側から発せられる輝尽発光光Ｒが第２集光系１４８により光電的に読み取られる。
【００７１】
読み取り処理後の蓄積性蛍光体シートＩＰは、消去光源部１３６に送られる。この消去光源部１３６では、第１および第２消去ユニット１６０ａ、１６０ｂを構成する消去用光源１６２ａ、１６２ｂを介して蓄積性蛍光体シートＩＰの両面に向かって消去光Ｑが照射され、前記蓄積性蛍光体シートＩＰに残存する放射線画像情報の消去処理が確実に行われる。消去処理後の蓄積性蛍光体シートＩＰは、循環搬送系１３８を介して放射線記録部１３２に配置される。
【００７２】
この場合、第４の実施形態では、放射線カセッテ８２に収容されている蓄積性蛍光体シートＩＰａに患者の放射線画像情報を撮影する際には、この放射線カセッテ８２が撮影台１２６上に直接載置される。一方、放射線記録部１３２には、蓄積性蛍光体シートＩＰが配置されており、この蓄積性蛍光体シートＩＰを放射線から保護するために、鉛板１８２が挿入口１８０から前記撮影台１２６内に挿入される。鉛板１８２の挿入がセンサ１８４を介して検出されると、撮影台１２６に設けられている表示灯１８６が点灯し、放射線カセッテ８２が撮影可能な状態であることを操作者に知らせる。
【００７３】
これにより、第４の実施形態では、放射線記録部１３２に蓄積性蛍光体シートＩＰが配置されていても、鉛板１８２が挿入されることによって、放射線カセッテ８２に照射される放射線がこの蓄積性蛍光体シートＩＰに照射されることがない。従って、蓄積性蛍光体シートＩＰに放射線の露光によるかぶりが発生することを確実に阻止することができる等、第１の実施形態と同様の効果が得られる。
【００７４】
さらに、鉛板１８２が撮影台１２６内に挿入される際に、表示灯１８６が点灯されるため、この鉛板１８２の有無を確実に確認することができ、前記鉛板１８２を取り忘れることがない。
【００７５】
上記の第４の実施形態では、鉛板１８２の有無を表示するために表示灯１８６を設けているが、これに限定されるものではなく、例えば、操作パネル１７４にカセッテ撮影モードを表示させ、ビルトイン撮影時のメニューの選択ができないように設定してもよい。なお、第１〜第３の実施形態においても、図示しない操作パネルにカセッテ撮影モードを表示させることができる。
【００７６】
【発明の効果】
本発明に係る放射線カセッテ用ホルダでは、放射線カセッテ用ホルダを放射線画像情報記録装置に装着するだけで、遮蔽部の作用下に放射線画像情報記録装置内に放射線が照射されることがない。このため、撮影部に配置されている蓄積性蛍光体シートに、放射線の露光によるかぶりが発生することを確実に阻止することができる。しかも、放射線画像情報記録装置内では、蓄積性蛍光体シートを撮影部に固定することが可能になり、前記放射線画像情報記録装置全体を有効に小型化することができる。
【００７７】
また、本発明に係る放射線画像情報記録装置では、操作者は、放射線カセッテが撮影可能な状態であることを確実に知ることができ、撮影処理の効率化および簡素化を図ることが可能になる。さらに、撮影室内に複数の放射線画像情報記録装置が配置されている際、使用される放射線画像情報記録装置を誤認することがなく、所望の撮影処置が円滑に遂行される。
【図面の簡単な説明】
【図１】本発明の第１の実施形態に係る放射線画像情報記録読取装置の斜視説明図である。
【図２】前記放射線画像情報記録読取装置の概略構成図である。
【図３】前記ホルダに放射線カセッテが取り付けられた状態の側面説明図である。
【図４】本発明の第２の実施形態に係る放射線カセッテ用ホルダが装置本体に取り付けられた状態の側面説明図である。
【図５】本発明の第３の実施形態に係る放射線カセッテ用ホルダが装置本体に取り付けられた状態の斜視説明図である。
【図６】本発明の第４の実施形態に係る放射線画像情報記録読取装置の要部斜視図である。
【図７】前記放射線画像情報記録読取装置の内部概略構成説明図である。
【符号の説明】
１０、１２０…放射線画像情報記録読取装置
１２…昇降部　　　　　　　　　　　１４、１２４…装置本体
２２…撮影部　　　　　　　　　　　２２ａ…放射線照射面
２４、１３４…読み取り部　　　　　２６…副走査系
２８、１３６…消去光源部　　　　　３２、１２６…撮影台
７０、１００、１１０…ホルダ　　　７２ａ、７２ｂ…ピン
７４…樹脂板　　　　　　　　　　　７６、１８２…鉛板
８０ａ、８０ｂ…孔部　　　　　　　８４…固定部
８６…可動支持部材　　　　　　　　８８…固定支持部材
９４ａ〜９４ｄ…位置決めピン　　　９６、１８４…センサ
９８、１８６…表示灯　　　　　　　１０２…固定部
１０４ａ〜１０４ｃ…下側支持部材　１０８…上側支持部材
１１２…支持板　　　　　　　　　　１１４…揺動板
１１８…平面部　　　　　　　　　　１２８…コントローラ
１３２…放射線記録部　　　　　　　１３８…循環搬送系
１７４…操作パネル　　　　　　　　１８０…挿入口
【図１】
2004109835.tif 000003
【図２】
2004109835.tif 000004
【図３】
2004109835.tif 000005
【図４】
2004109835.tif 000006
【図５】
2004109835.tif 000007
【図６】
2004109835.tif 000008
【図７】
2004109835.tif 000009